(57)【特許請求の範囲】
【請求項１】
無線回線を通じて網に接続し、該無線回路とは別の近距離無線路を通じて携帯情報端末と接続する携帯電話端末を含むシステムにおいて、
送信側の携帯電話端末には、上記近距離無線路で送信側の携帯情報端末と組となるよう接続する近距離通信部と、
接続した組となる上記送信側の携帯情報端末が持つ対象ファイル情報を要求して出力し、選択した入力を受信側携帯電話端末ファイル受信アプリケーションに送信し、受信側携帯電話端末からのファイル転送受け入れに対応して対象ファイルを転送する携帯電話ファイル送信アプリケーション手段と、
上記受信側携帯電話端末のアドレスを入力し、上記選択入力をする指示入力手段と、上記出力の表示を行う表示手段とを備え、
送信側の携帯情報端末には、上記受信側の携帯電話端末に上記対象ファイル情報を送信し、また上記対象ファイルを送信する携帯情報端末ファイル送信アプリケーション手段を備え、
受信側の携帯電話端末には、上記近距離無線路で受信側の携帯情報端末と組となるよう接続する近距離通信部と、
上記送信側の携帯電話端末からの上記対象ファイル情報の転送を受けて出力し、確認入力を受けて上記送信側携帯情報端末に上記対象ファイルの転送を要求する携帯電話ファイル受信アプリケーション手段を備え、
受信側の携帯情報端末には、上記送信側からの上記対象ファイルの転送を受ける携帯情報端末ファイル受信アプリケーションを備えた、構成とすることを特徴とする携帯端末間ファイル転送システム。
【請求項２】
携帯電話端末は、音声通信とデータ通信の同時通信が可能な多重通信機能を持ち、
携帯電話の入力手段からの入力を上記音声通信中に行うことを特徴とする請求項１記載の携帯端末間ファイル転送システム。
【請求項３】
受信側の携帯電話端末には、一時ファイル記憶部を備え、
携帯電話ファイル受信アプリケーション手段は、対象ファイルのダウンロードを上記一時ファイル記憶部に行うようにしたことを特徴とする請求項１記載の携帯端末間ファイル転送システム。
【請求項４】
受信側の携帯電話または送信側の携帯電話には、音声合成部を備え、対象ファイル情報の出力を音声で行うようにしたことを特徴とする請求項１記載の携帯端末間ファイル転送システム。
【請求項５】
受信側の携帯電話または送信側の携帯電話には、音声認識部を備え、対象ファイル情報の選択入力を音声で行うようにしたことを特徴とする請求項１記載の携帯端末間ファイル転送システム。
【発明の詳細な説明】
【０００１】
【発明の属する技術分野】
この発明は、携帯電話を用いて、遠隔地にある携帯情報端末やパーソナルコンピュータの間でファイルを転送する方式に関するものである。特に、携帯電話通信用の無線機能と、それとは別の近距離無線通信機能を併せ持った携帯電話を利用して、ファイルを転送する装置に関するものである。
【０００２】
【従来の技術】
図１８は、従来の携帯電話を介して、通信ケーブルで接続された携帯情報端末へ、遠隔地のファイルサーバ上に置かれたファイルを転送する場合の構成を示す構成図である。図において、８０１は携帯電話、８０２は携帯情報端末であり、１３は携帯電話８０１が加入している携帯電話無線通信網、２３は携帯電話無線通信網に接続するインターネットである。８０５はインターネット２３に接続され、転送の対象となるファイルを有するファイルサーバである。なお、携帯情報端末には、持ち運びが容易なパーソナルコンピュータも含まれる。
８０３は携帯電話８０１の中央処理装置である携帯電話中央処理装置、８０４電話無線通信網１３との無線通信を行なう携帯電話無線通信部、８０７は携帯電話８０１の表示部である携帯電話表示部、８０６は携帯電話８０１のダイヤル等の入力を行なう携帯電話指示入力部、８１４は携帯電話８０１上にあって携帯情報端末８０２とのシリアルポート通信を実現する携帯電話シリアルポート通信部である。また、１４は携帯電話８０１と携帯電話無線通信網１３間の携帯電話無線路を示している。
【０００３】
８０９は携帯情報端末８０２の中央処理装置である携帯電話中央処理装置、８２２は携帯情報端末８０２の表示を受け持つ携帯情報端末表示部、８２３は同じく携帯情報端末８０２への入力をうけもち、ファイル転送の指示を入力する携帯情報端末指示入力部、８２４は携帯情報端末８０２上にあって、携帯電話８０１とのシリアルポート通信を実現する携帯情報端末シリアルポート通信部である。８２５は転送しようとするファイルを受け取る受信ディレクトリ、８２６は携帯情報端末中央処理装置８２０によって実行されるファイル転送プログラムであるところのファイル転送アプリケーションｃである。８２９は携帯電話８０１と携帯情報端末８０２間のシリアルポート通信のためのシリアル通信ケーブルである。
さらに、８３０はファイルサーバ８０５の中央処理装置であるファイルサーバ中央処理装置、８３４はファイルサーバ上でインターネット２３との通信を受け持つインターネット通信部、８３５はファイルサーバ８０５にあって、転送の対象となる転送ファイルが置かれている転送ファイルディレクトリ、８３６はファイルサーバ中央処理装置８３０によって実行されるファイル転送プログラムであるところのファイル転送サーバアプリケーションＳである。
【０００４】
次にその動作について、図１８と動作シーケンスを示す図１９を用いて説明する。図において、実線の枠は機器と利用者とのやりとりを示し、破線の枠は機器の内部的な動作を示す。また太い実線はファイルデータの転送を示す。今ファイルサーバ８０５上の転送ファイルディレクトリ８３５にファイルＴが置かれており、そのファイルＴを携帯情報端末８０２上に転送し、受信ディレクトリ８２５に記憶する場合を考える。
ファイルサーバ８０５は、いつ転送の要求があっても転送を実現できるように、インターネット通信部８３４はインターネット２３からの要求を受け付ける用意をしておく。また、ファイル転送サーバアプリケーション８３６も、ファイルサーバ中央処理装置８３０によって実行され、転送要求を待つ状態にあるものとする。
携帯情報端末８０２の利用者は、まずシリアル通信ケーブル８２９により携帯電話８０１の携帯電話シリアルポート通信部８１４と携帯情報端末８０２の携帯情報端末シリアルポート通信部８２４の間を物理的に接続し、電気信号が携帯電話８０１と携帯情報端末８０２間で交換できるように設定する。
【０００５】
まず、図１９のステップ（Ｓ）９０１で、携帯電話指示入力部８０６から携帯電話８０１の電源ＯＮと携帯電話シリアルポート通信部８１４ならびに携帯電話無線通信部８０４の動作開始、つまり起動を指示する。
続いて、携帯情報端末８０２の利用者は、Ｓ９０２で、ファイル転送アプリケーション８２６の実行と受信ディレクトリ８２５の指定を携帯情報端末入力指示部８２３から入力する。そして、ファイル受信の準備ができたところで、ファイル転送アプリケーション８２６を利用して、携帯情報端末シリアルポート通信部８２４に携帯電話シリアルポート通信部８１４との通信開始を要求する。
Ｓ９０３で携帯情報端末シリアルポート通信部８２４と携帯電話シリアルポート通信部８１４との通信チャネルが設定されると、ファイル転送アプリケーション８２６は、次に携帯電話８０１の携帯電話中央処理装置８０３に携帯電話無線路１４による通信を携帯電話無線通信網１３との間で開始するように要求する指示信号を送る。すなわち、ファイル転送アプリケーション８２６は携帯情報端末中央処理装置８０９からその指示信号を発し、携帯情報端末シリアルポート通信部８２４から携帯電話シリアルポート通信部８１４を経て、携帯電話中央処理装置８０３にその指示信号が届けられる。Ｓ９０４で携帯電話中央処理装置８０３は、携帯電話無線通信部８０４に携帯電話無線通信網１３との通信チャネル設定を要求し、携帯電話無線通信部８０４は、携帯電話無線路１４により携帯電話無線通信網１３との通信チャネルを設定する。以後、携帯電話８０１は、携帯情報端末８０２から携帯電話無線通信網１３へ、あるいは、その逆方向に、信号やデータを転送する中継機能を提供することになる。なお、携帯電話表示部８０７には、携帯電話無線路１４の接続状態が表示される。
【０００６】
ファイル転送アプリケーション８２６は、続いて、その後に送る信号をインターネット２３に送るよう携帯電話無線通信網１３に向かって設定された通信チャネルを用いて指示をだす。その後、ファイル転送アプリケーション８２６の信号は、インターネット１３内の手順、すなわちインターネット２３内のＤｏｍａｉｎ  Ｎａｍｅ  Ｓｅｒｖｅｒによるアドレス特定手順などを経て、ファイルサーバ８０５のインターネットアドレスがファイル転送アプリケーション８２６に知らされ、ファイル転送アプリケーション８２６からの信号はこのファイルサーバ８０５のインターネットアドレスを持って送り出されることで、インターネット２３内をファイルサーバ８０５宛に送り届けられるようになる。以後、携帯電話無線通信網１３は、携帯電話８０１からインターネット２３へ、あるいは、その逆方向に、インターネットで交換される上位レベルの信号やデータを運ぶ中継機能を果たすことになる。
ここで携帯情報端末８０２からの信号は、ファイルサーバ８０５に送り届けられ、インターネット通信部８３４を経て、ファイルサーバ中央処理装置８３０へと届けられるようになる。携帯情報端末８０２とファイルサーバ８０５がインターネットを介して接続されると、ファイル転送アプリケーション８２６とファイル転送サーバアプリケーション８３６間で、インターネット上での通信チャネル、例えばＴＣＰと呼ばれる通信手順による通信チャネルを設定する。
ここで、Ｓ９０６でファイルサーバ中央処理装置８３０は、転送ファイルディレクトリ８３５内のファイルリストを携帯電話８０１に送る。このファイルリストにはファイルＴが含まれており、このファイルリストは、インターネット２３、携帯電話無線通信網１３、そして携帯電話８０１を経由して携帯情報端末８０２に送られ、Ｓ９０７でそれが携帯情報端末中央処理装置８０９を通して携帯情報端末表示部８２２に表示される。
【０００７】
携帯情報端末８０２の利用者は、Ｓ９０８で表示されたファイルリストの中から、転送ファイルディレクトリ８３５から転送したいファイル、すなわちファイルＴを携帯情報端末入力指示部８２３を通じて選択する。Ｓ９０９で選択されたファイルは、逆の通信路をたどって、ファイルサーバ８０５に送られ、インターネット通信部８３４を経由してファイルサーバ中央処理装置８３０に届けられる。Ｓ９１０でファイル転送サーバアプリケーションＳ８３６プログラムは、この指示を受けて、転送ファイルディレクトリ８３５中の指定されたファイルＴを携帯情報端末８０２に向けて送信する通信手順に移る。Ｓ９１２で携帯情報端末８０２では、受信するファイルデータを受信ディレクトリ８２５に書き込み、転送が完了するとファイル名を添えて、あるいは、携帯情報端末入力指示部８２３から入力した名前を添えて、受信ディレクトリ８２５に記憶する。
ファイルの転送が完了すると、通信チャネルは設定時とは逆に順番で開放される。すなわち、まず、ファイル転送アプリケーション８２６とファイル転送サーバアプリケーション８３６間のインターネット上のＴＣＰ接続が開放され、続いて、ファイルサーバ８０５とインターネット２３間の接続が開放される。最後に携帯電話無線路１４を開放すべく、携帯情報端末８０２携帯情報端末中央処理装置８０９は、携帯電話中央処理装置８０３に向けて携帯電話無線路１４の開放を指示し、携帯電話中央処理装置８０３は携帯電話無線通信部８０４へ回線開放の指示を行なう。
最後に携帯情報端末８０２の利用者は、シリアルポート通信ケーブル８２９を取り外して、携帯電話８０１を使ってのファイル転送の手順を終える。
【０００８】
【発明が解決しようとする課題】
従来のファイル転送システムは以上のように構成されており、ファイル送信側はファイルサーバとなっていて、ファイル転送要求に備えて転送可能なファイル一覧を用意しておき、一方、転送を受ける側が主体的にファイルを選ぶシステムになっており、送信側の意思が反映されない、送信の必要性がある場合にも送れず柔軟性に欠けるという課題があった。
また、受信側の情報端末と携帯電話の組では、ファイル転送の指示、サーバアドレスの設定、リストの読み取り、リスト中の対象ファイルの選択、が全て情報端末からであり、電源の投入、操作が携帯電話と情報端末に分かれて操作性がよくないという課題もあった。
【０００９】
この発明は上記の課題を解決するためになされたもので、ファイルサーバを介在せずに送信側端末から主体的に、転送先の固有情報に応じて、または機器や条件に応じて柔軟に受信側にファイル転送ができるシステムを得る。
また、その送受信に際して、携帯電話端末で集中的に操作が可能な操作性のよいファイル転送システムを得る。
【００１０】
【課題を解決するための手段】
この発明に係る携帯端末間ファイル転送システムは、無線回線を通じて網に接続する無線通信部と、携帯情報端末と接続する近距離通信部を備えた携帯電話端末を含むシステムにおいて、
送信側の携帯電話端末には、近距離接続した組になる携帯情報端末が持つ対象ファイル情報を要求して出力し、選択した入力を受信側携帯電話端末ファイル受信アプリケーションに送信し、受信側携帯電話端末からのファイル転送受け入れに対応して対象ファイルを転送する携帯電話ファイル送信アプリケーション手段と、
受信側携帯電話端末のアドレスを入力して選択入力をする指示入力手段と、出力の表示を行う表示手段とを備え、
送信側の携帯情報端末には、受信側の携帯電話端末に対象ファイル情報を送信し、また対象ファイルを送信する携帯情報端末ファイル送信アプリケーション手段を備え、
受信側の携帯電話端末には、送信側の携帯電話端末からの対象ファイル情報の転送を受けて出力し、確認入力を受けて送信側携帯情報端末に対象ファイルの転送を要求する携帯電話ファイル受信アプリケーション手段を備え、
受信側の携帯情報端末には、送信側からの対象ファイルの転送を受ける携帯情報端末ファイル受信アプリケーションを備えた、構成とした。
【００１１】
また更に、携帯電話端末は、音声通信とデータ通信の同時通信が可能な多重通信機能を持ち、
携帯電話の入力手段からの入力を音声通信中に行うようにした。
【００１２】
また更に、受信側の携帯電話端末には、一時ファイル記憶部を備え、
携帯電話ファイル受信アプリケーション手段は、対象ファイルのダウンロードを一時ファイル記憶部に行うようにした。
【００１３】
また更に、受信側の携帯電話または送信側の携帯電話には、音声合成部を備え、対象ファイル情報の出力を音声で行うようにした。
【００１４】
また更に、受信側の携帯電話または送信側の携帯電話には、音声認識部を備え、対象ファイル情報の選択入力を音声で行うようにした。
【００１５】
【発明の実施の形態】
実施の形態１．
ファイル送信側が主体的に受信側に問い合わせ、適するファイルを少ない操作で転送する基本構成を説明する。
図１は本実施の形態における受信側の、図２は送信側の構成図である。
図１において、１はファイル受信側携帯電話端末であり、この携帯電話は、携帯電話無線通信網を通じて、音声とデータの両方を伝送する能力があるデジタルデータ通信方式を採用した携帯電話端末である。また、この携帯電話は、携帯電話無線の他に近距離無線方式によるデジタルデータ通信機能も併せ持ち、携帯電話無線通信と近距離無線通信を並行して実行することが可能な携帯電話である。２はファイル受信側携帯情報端末である。３はファイル受信側携帯電話端末１の携帯電話中央処理装置、４はファイル受信側携帯電話端末１の携帯電話無線の通信部である携帯電話無線通信部、５はファイル受信側携帯電話端末１と近距離にある機器との間で無線による通信を実現する携帯電話近距離無線通信部、６はファイル受信側携帯電話端末１への入力を与える携帯電話指示入力部、７はファイル受信側携帯電話端末１の表示部である携帯電話表示部、８はファイル受信側携帯電話端末１上にあって、ファイル受信側携帯電話端末１とファイル受信側携帯情報端末２間の近距離無線によるデータ通信を制御してファイル受信側携帯電話端末１とファイル送信側携帯情報端末２間のファイルの転送を実現するとともに、携帯電話無線通信網１３を通じてファイル送信側携帯電話端末２１とのデータ通信をも制御してファイル送信側携帯電話端末２１からファイル受信側携帯電話端末１へのファイル転送を実現する携帯電話ファイル受信アプリケーション、９はファイル受信側携帯情報端末２の携帯情報端末中央処理装置、１０はファイル受信側携帯情報端末２上にあって、ファイル受信側携帯電話端末１上の携帯電話近距離無線通信部５と無線通信を実現する携帯情報端末近距離無線通信部、１１はファイル受信側携帯情報端末２とファイル受信側携帯電話端末１間の近距離無線によるデータ通信を制御してファイルの受信を実現する携帯情報端末ファイル受信アプリケーション、１２はファイル受信側携帯情報端末２上にあって近距離無線通信を利用してファイルを受け取るファイルシステムである。
また、１３は携帯電話が加入する携帯電話無線通信網であり、１４はその携帯電話無線通信網とファイル受信側携帯電話端末１間の携帯電話無線路、１５は携帯電話近距離無線通信部５と携帯情報端末近距離無線通信部１０間の近距離無線路である。
【００１６】
図２において、２１はファイル送信側携帯電話端末であり、この携帯電話もファイル受信側携帯電話端末１と同様に、携帯電話無線通信網を通じて、音声とデータの両方を伝送する能力があるデジタルデータ通信方式を採用した携帯電話である。また、携帯電話無線の他に、近距離無線方式によるデジタルデータ通信機能も併せ持ち、携帯電話無線通信と近距離無線通信を並行して実行することが可能な携帯電話である点もファイル受信側携帯電話端末１と同じである。２２はファイル送信側携帯情報端末であり、３はファイル送信側携帯電話端末２１の携帯電話中央処理装置、４はファイル送信側携帯電話端末２１の携帯電話無線の通信部である携帯電話無線通信部、５はファイル送信側携帯電話端末２１と近距離にある機器との間で無線による通信を実現する携帯電話近距離無線通信部、２８はファイル送信側携帯電話端末２１上にあって、ファイル送信側携帯電話端末２１とファイル送信側携帯情報端末２２間の近距離無線によるデータ通信を制御してファイル送信側携帯電話端末２１とファイル送信側携帯情報端末２２間のファイルの転送を実現するとともに、携帯電話無線通信網１３を通じてファイル受信側携帯電話端末１とのデータ通信をも制御してファイル送信側携帯電話端末２１からファイル受信側携帯電話端末１へのファイル転送を実現する携帯電話ファイル送信アプリケーション、９はファイル送信側携帯情報端末２２の携帯情報端末中央処理装置、１０はファイル送信側携帯情報端末２２上にあって、ファイル送信側携帯電話端末２１上の携帯電話近距離無線通信部５と無線通信を実現する携帯情報端末近距離無線通信部、３１はファイル送信側携帯情報端末２２とファイル送信側携帯電話端末２１間の近距離無線によるデータ通信を制御してファイルの転送を実現する携帯情報端末ファイル送信アプリケーション、１２はファイル送信側携帯情報端末２２上にあって近距離無線通信を利用して送信するファイルが置かれたファイルシステムである。
また、１３は携帯電話無線通信網であり、１４は携帯電話無線路、１５は近距離無線路である。
【００１７】
次に上記構成のシステムによる動作について図３の動作フローも併用して説明する。
ファイル受信側携帯電話端末１の利用者は、ファイル転送を行なう前に、予めファイル受信側携帯情報端末２の電源をＯＮし、携帯情報端末ファイル受信アプリケーション１１を携帯情報端末中央処理装置９にて実行させるとともに、携帯情報端末近距離無線通信部１０を近距離無線路１５による受信が可能な状態に設定し、ファイル受信側携帯情報端末２をファイル受信側携帯電話端末１から近距離無線路１５による通信が可能な範囲に置いておくものとする。同様に、ファイル送信側携帯情報端末２２の利用者は、ファイル転送を行なう前に、予めファイル送信側携帯情報端末２２の電源をＯＮし、携帯情報端末ファイル送信アプリケーション３１を携帯情報端末中央処理装置９にて実行させるとともに、携帯情報端末近距離無線通信部１０を近距離無線路１５により受信可能な状態に設定して、ファイル送信側携帯情報端末２２をファイル送信側携帯電話端末２１から近距離無線路１５で通信が可能な範囲に置いておくものとする。
本実施の形態では、ファイル送信側携帯電話端末２１の利用者がファイル送信側携帯情報端末２２中のファイルシステム１２にあるファイルＴを選択し、ファイル受信側携帯電話端末１の利用者によるファイル転送開始の指示に応じて、ファイル受信側携帯情報端末２のファイルシステム１２へとファイル転送を行なう動作を説明する。
【００１８】
まず、図３のステップ（以後、Ｓと略記する）１０１で、ファイル送信側携帯電話端末２１の利用者は携帯電話指示入力部６から、ファイル送信を行なうことを入力する。携帯電話中央処理装置３上で実行されている携帯電話ファイル送信アプリケーション２８は、これを認識して、携帯電話近距離無線通信部５に、携帯電話近距離無線通信部５と携帯情報端末近距離無線通信部１０との間で通信チャネルを確立することを要求する。Ｓ１０２で、携帯電話近距離無線通信部５は近距離無線路１５を用いて携帯情報端末近距離無線通信部１０との間で通信チャネルを確立する。
続いて、携帯情報端末近距離無線通信部１０は、携帯電話近距離無線通信部５との間で通信チャネルが確立されたことを携帯情報端末中央処理装置９に通知し、携帯情報端末ファイル送信アプリケーション３１にファイル送信の要求があることを伝える。これを受けてＳ１０３で、携帯情報端末ファイル送信アプリケーション３１はファイルシステム１２の送信可能なファイル属性リストを作成し、近距離無線路１５経由で携帯電話ファイル送信アプリケーション２８に伝える。Ｓ１０４で携帯電話ファイル送信アプリケーション２８は送信可能なファイルのファイル属性リストを携帯電話表示部７に表示する。ここで、ファイル属性とは、例えば図４（ａ）、図４（ｂ）、図４（ｃ）に示すように、ファイル識別子、ファイル名、サイズ、作成日時、変更日時、所有者、アクセス管理テーブル、ファイルの内容の一部、のすべて、もしくは一部である。また、ファイル属性リストとは、複数ファイルのファイル属性の集合である。
【００１９】
ファイル送信側携帯電話端末２１の利用者は、携帯電話表示部７に表示された送信可能なファイルのファイル属性リストから、Ｓ１０５で送信するファイルＴを選択し、その指示を携帯電話指示入力部６から入力する。このとき、ファイルシステム１２のディレクトリが階層構造となっている場合は、携帯情報端末ファイル送信アプリケーション３１による送信可能なファイルのファイル属性リストおよびたどることが可能なディレクトリ名リストの作成と、利用者によるディレクトリ名の選択を繰り返して、その階層構造を１段ずつたどりながら、送信するファイルＴを決定する。
次に、携帯電話ファイル送信アプリケーション２８は、携帯電話指示入力部６からファイルＴのファイル属性を受け取ると、携帯電話表示部７に、ファイル受信側携帯電話端末１の電話番号を入力するように促す。この時のファイル受信側携帯電話端末１の電話番号は、ファイルシステム１２を有するファイル受信側携帯情報端末２と近距離無線路１５で通信可能な範囲にあるファイル受信側携帯電話端末１の電話番号であるが、これは予めファイル送信側携帯電話端末２１の利用者には判っているものとする。 例えば、ファイル受信側携帯電話端末１の利用者とファイル受信側携帯情報端末２の利用者が同一人物であり、ファイル受信側携帯電話端末１の近距離無線路１５で接続可能な範囲内にファイル受信側携帯情報端末２があると想定できる場合である。
【００２０】
ファイル送信側携帯電話端末２１の利用者がＳ１０６で、携帯電話指示入力部６からファイル受信側携帯電話端末１の電話番号を入力すると、携帯電話中央処理装置３は携帯電話無線通信部４にファイル受信側携帯電話端末１との携帯電話無線による通信チャネルの設定を要求する。この時、ファイル送信側携帯電話端末２１はファイル転送を行なう目的で、音声通信ではなくデータ通信を意図して発呼を行なうため、設定される通信チャネルは、データ通信用のものである。携帯電話無線通信部４は携帯電話無線路１４を通じて携帯電話無線通信網１３へ発呼を行い、同じ携帯電話無線通信網１３に加入しているファイル受信側携帯電話端末１との間でデータ通信のための通信チャネルを設定する。
ファイル受信側携帯電話端末１は携帯電話無線通信網１３から携帯電話無線路１４を通じてデータ通信用の着呼を受けると、予めデータ通信のための着呼を許可する状態に設定してあったファイル受信側携帯電話端末１は、携帯電話無線通信部４を通じて、携帯電話無線通信網１３との間でデータ通信のための通信チャネルを確立し、Ｓ１０７でファイル送信側携帯電話端末２１とファイル受信側携帯電話端末１が、データ通信用の無線通信チャネルにより接続されることになる。
続いて、確立されたデータ通信チャネルを利用して、ファイル送信側携帯電話端末２１上の携帯電話ファイル送信アプリケーション２８がＳ１０８で、ファイル受信側携帯電話端末１上の携帯電話ファイル受信アプリケーション８に、送信するファイルＴのファイル属性を伝えてファイル転送を要求すると、Ｓ１０９で携帯電話ファイル受信アプリケーション８は携帯電話表示部７にファイルＴのファイル属性を表示する。
【００２１】
ファイル受信側携帯電話端末１の利用者が、携帯電話表示部７に表示されたファイル属性を見て、Ｓ１１０で予めファイル送信側携帯電話端末２１の利用者との間で転送を取り決めていたファイルであることを確認し、Ｓ１１１でファイルの受信先がファイル受信側携帯情報端末２のファイルシステム１２中の特定のディレクトリであることの指示と、Ｓ１１２のファイル転送開始の指示を携帯電話指示入力部６から入力する。
携帯電話中央処理装置３上で実行されている携帯電話ファイル受信アプリケーション８は、これを認識して、携帯電話近距離無線通信部５に、携帯電話近距離無線通信部５と携帯情報端末近距離無線通信部１０の間で通信チャネルを確立することを要求する。Ｓ１１３で携帯電話近距離無線通信部５は近距離無線路１５を介して、携帯情報端末近距離無線通信部１０との間で通信チャネルを確立する。
続いて、携帯情報端末近距離無線通信部１０は、携帯電話近距離無線通信部５との間で通信チャネルが確立されたことを携帯情報端末中央処理装置９に通知し、携帯情報端末ファイル受信アプリケーション１１をファイル受信可能状態に設定する。
【００２２】
一方、携帯電話指示入力部６から入力されたファイル転送開始の指示は、転送すべきファイルＴのファイル属性とともに、携帯電話無線路１４、携帯電話無線通信網１３を経て、携帯電話無線路１４を通って、ファイル送信側携帯電話端末２１へと伝えられ、Ｓ１１４で携帯電話ファイル送信アプリケーション２８が受け取る。携帯電話ファイル送信アプリケーション２８は、ファイル転送開始の指示に応じて、ファイルＴのファイル属性を、近距離無線路１５を介して、更に、携帯電話近距離無線通信部５、携帯情報端末近距離無線通信部１０経由で、携帯情報端末ファイル送信アプリケーション３１へと伝える。
携帯情報端末ファイル送信アプリケーション３１は、Ｓ１１５でファイルシステム１２の中のファイルＴをそのファイル属性によって選択して、ファイル送信側携帯電話端末２１上の携帯電話ファイル送信アプリケーション２８に向けてファイル送信を開始する。携帯電話ファイル送信アプリケーション２８は、この送られてくるファイルＴの内容を、携帯電話無線通信部４を経由して携帯電話無線路１４で携帯電話無線通信網１３へ、さらに携帯電話無線路１４を経由して携帯電話無線通信部４、携帯電話ファイル受信アプリケーション８へと転送する。
ファイルＴのデータを受け取った携帯電話ファイル受信アプリケーション８は、近距離無線路１５上に確立された通信チャネルを使って、携帯情報端末ファイル受信アプリケーション１１へその内容を送り届け、Ｓ１１７で携帯情報端末ファイル受信アプリケーション１１は、ファイルシステム１２にファイルＴを書き込む。
以上の手順により、ファイル送信側携帯情報端末２２中のファイルシステム１２に置かれたファイルＴが、ファイル受信側携帯電話端末１の利用者のファイル受信側携帯電話端末１上の携帯電話指示入力部６への指示だけで、Ｓ１１８でファイル受信側携帯情報端末２上のファイルシステム１２へと転送されたことになる。
【００２３】
以上説明したように、本実施の形態のシステムは、特に表示機能と入力機能と近距離無線通信機能を持つ携帯電話にそれぞれ携帯電話ファイル送信アプリケーション２８と携帯電話ファイル受信アプリケーション８を組み込むことで、操作性を向上できる。こうすれば、例えば携帯情報端末の表示を読んだり、入力キーをたたいたりせず、さらには携帯情報端末そのものを鞄やポケットから取り出さないで、遠隔地の携帯情報端末間でファイルを転送できる。更に、携帯端末が送信の主体性を持ち、必要が発生した時点で付属性を付して送りたい受信側を呼び出し、ファイル転送を開始することができる。
なお、本実施の形態では、ファイル受信側携帯電話端末１とファイル受信側携帯情報端末２、ファイル送信側携帯電話端末２１とファイル送信側携帯情報端末２２、それぞれの間は近距離無線路１５および近距離無線路１５で通信することとしたが、双方の近距離無線路１５の通信方式は全く異なるものであってもよい。また、一方、あるいは、両方ともが有線、すなわち、従来例で示したシリアル通信ケーブルを使うような場合であってもよい。
【００２４】
本実施の形態において、転送すべき送信ファイルとして、１つのＴファイルを選択し、これら選択した複数のファイルを一括して転送を行う場合を述べる。
即ち、ファイル送信側携帯電話端末２１の利用者がファイル送信側携帯情報端末２２中のファイルシステム１２にある複数のファイルＴ１、Ｔ２、・・・、Ｔｎを選択し、ファイル受信側携帯電話端末１の利用者によるファイル転送開始の指示に応じて、ファイル受信側携帯情報端末２のファイルシステム１２へと複数のファイル転送を行なう動作を説明する。
【００２５】
ファイル送信側携帯電話端末２１の利用者による送信ファイルの選択に到るまでの手順は先に述べた場合と全く同様である。この利用者は携帯電話表示部７に表示された送信可能なファイルのファイル属性リストから、複数の送信ファイルＴ１、Ｔ２、・・・、Ｔｎを選択し、その指示を携帯電話指示入力部６から入力して、送信するファイルＴ１、Ｔ２、・・・、Ｔｎを決定する。
【００２６】
携帯電話ファイル送信アプリケーション２８は、併記された複数ファイルを連結する機能と、先頭と最後のファイルを識別する機能を持たせる。その場合、図３のＳ１０５で携帯電話指示入力部６からファイルＴ１、Ｔ２、・・・、Ｔｎの複数のファイル属性リストを受け取ると、携帯電話表示部７に、ファイル受信側携帯電話端末１の電話番号を入力するように促す。
【００２７】
ファイル送信側携帯電話端末２１の利用者が、Ｓ１０６で携帯電話指示入力部６からファイル受信側携帯電話端末１の電話番号を入力すると、携帯電話中央処理装置３は先に述べたように、ファイル受信側携帯電話端末１との通信チャネルの設定を要求する。設定される通信チャネルは、データ通信用のものである。そして携帯電話無線通信網１３を介して発呼を行い、ファイル受信側携帯電話端末１との間でデータ通信のための通信チャネルを設定する。
ファイル受信側携帯電話端末１との通信チャネルが確立し、Ｓ１０７で接続されると、Ｓ１０８で携帯電話ファイル送信アプリケーション２８が携帯電話ファイル受信アプリケーション８に、送信するファイルＴ１、Ｔ２、・・・、Ｔｎのファイル属性リストを伝えてファイル転送を要求する。携帯電話ファイル受信アプリケーション８は同様に先頭や最後を識別し、ファイルを並列化する機能を持たせて、Ｓ１０９で携帯電話表示部７にファイルＴ１、Ｔ２、・・・、Ｔｎのファイル属性リストを表示する。
【００２８】
ファイル受信側携帯電話端末１の利用者が、表示されたファイルＴ１、Ｔ２、・・・、Ｔｎのファイル属性リストを見て、Ｓ１１０で予めファイル送信側携帯電話端末２１の利用者との間で転送を取り決めていたファイルであることを確認し、Ｓ１１１のファイルの受信先がファイル受信側携帯情報端末２のファイルシステム１２中の特定のディレクトリであることの指示と、Ｓ１１２のファイル転送開始の指示を入力する。携帯電話ファイル受信アプリケーション８は、これを認識して、携帯電話近距離無線通信部５に、ファイル受信側携帯情報端末２との間で通信チャネルを確立させる。
また、携帯情報端末近距離無線通信部１０は、通信チャネルの確立を受けて携帯情報端末中央処理装置９に通知し、携帯情報端末ファイル受信アプリケーション１１をファイル受信可能状態にする。
【００２９】
一方、Ｓ１１２のファイル転送開始の指示は、ファイルＴ１、Ｔ２、・・・、Ｔｎのファイル属性とともに、Ｓ１１４でファイル送信側携帯電話端末２１へと伝えられ、携帯電話ファイル送信アプリケーション２８が受け取る。携帯電話ファイル送信アプリケーション２８は、ファイル転送開始の指示に応じて、ファイルのＴ１、Ｔ２、・・・、Ｔｎのファイル属性を、携帯情報端末ファイル送信アプリケーション３１へと伝える。
これを受けて、携帯情報端末ファイル送信アプリケーション３１は、Ｓ１１５でファイルシステム１２の中のファイルＴ１を選択して、ファイル送信側携帯電話端末２１上の携帯電話ファイル送信アプリケーション２８に向けてファイル送信を開始する。携帯電話ファイル送信アプリケーション２８は、この送られてくるファイルＴ１の内容を、携帯電話無線路１４、携帯電話無線通信網１３、さらに携帯電話無線路１４を経由して携帯電話ファイル受信アプリケーション８へと転送する。
ファイルＴ１のデータを受け取った携帯電話ファイル受信アプリケーション８は、携帯情報端末ファイル受信アプリケーション１１へその内容を送り届け、Ｓ１１７で携帯情報端末ファイル受信アプリケーション１１はファイル受信し、ファイルシステム１２にファイルＴ１を書き込む。
ファイルＴ２、・・・、Ｔｎについても同様の手順で、ファイル送信側携帯情報端末２２上のファイルシステム１２から、ファイル受信側携帯情報端末２上のファイルシステム１２へと転送する。そして最後の識別子でファイル転送の終了を知り、切断手順に入る。
こうして携帯電話ファイル送信アプリケーション８と携帯電話ファイル受信アプリケーション２８に機能を付加し、携帯情報端末ファイル送信アプリケーション３１に一括転送させることで、複数ファイルの転送時に、利用者による同じ手順の面倒な繰り返しを省略することができる。
【００３０】
更に、複数ファイルの転送において、Ｓ１１０の受信側携帯電話端末の表示部７での確認ステップで、必要なファイルのみを選択して選択識別子を付して確認返送するシステムとすることもできる。
図５はその動作シーケンスを示す図で、Ｓ１１０ｂにおいて選択を行い、選択識別子を付加して送る。ファイル送信側携帯電話ファイル送信アプリケーション８ｂに設けた識別機能によりどのファイルを転送すればよいかが判断できる。
【００３１】
実施の形態２．
転送ファイルに関する情報を予め電話で確認しあい、それに基づいてただちにファイル転送ができれば内容が確かで、かつ操作も楽になる。本実施の形態ではこうしたシステムを説明する。
図６は、本実施の形態における受信側の、図７は送信側のシステム構成図である。これらの図において、各携帯電話端末１ｂ、２１ｂは１７の通話用マイクと１８の通話用スピーカがあり、携帯電話無線通信部４ｂは音声とデータ通信の多重通信機能がある。
【００３２】
図８は、本実施の形態における動作シーケンス図である。
本実施の形態では、転送ファイルの確認のため等で、既にファイル受信側携帯電話端末１ｂの利用者とファイル送信側携帯電話端末２１ｂの利用者が、携帯電話端末を利用して音声通話を既に行なっているとする。この場合、電話音声回線は既につながっているため、ファイル受信側携帯電話端末１ｂの利用者がファイル受信を要求しても、携帯電話指示入力部６への電話番号の入力は必要とされずに、同一携帯電話へのデータ通信チャネルの確立を要求すればよい。即ち、携帯電話ファイル送信アプリケーション２８ｂは、図８のＳ１０５の入力で、ただちにＳ１０７の動作に移る。ファイル送信側携帯電話端末２１ｂの利用者が携帯電話表示部７に表示された送信可能なファイルのファイル属性リストを見て送信するファイルＴ、もしくは複数のファイルＴ１、Ｔ２、・・・、Ｔｎを選択したところで、ファイル送信側携帯電話端末２１の携帯電話ファイル送信アプリケーション２８ｂは、ファイル受信側携帯電話端末１との携帯電話無線通信網１３を経由した携帯電話無線によるデータ通信チャネルの確立を要求する。
以後の手順は、実施の形態１と同様である。こうして、携帯電話端末で通話をしているファイル受信側の利用者とファイル送信側の利用者の間で、電話を通じての会話を継続しながら、ファイル送信側携帯情報端末２２のファイルシステム１２にあるファイルを、ファイル受信側携帯情報端末２のファイルシステム１２へ転送することができ、通話中の２人が転送が終了したファイル内容を同時に確認しながら会話を進めることができる。
【００３３】
実施の形態３．
送信側からの要求でファイル転送を行おうとしても、受信側の携帯情報端末が他のことを実行中であったり、準備が完了していない事態のこともある。こうした場合にもとりあえずファイル転送が行えるシステムを説明する。
図９は、本実施の形態における受信側のシステム構成図である。
図において、１６はファイル受信側携帯電話端末１上にあって、受信するファイルをファイル受信側携帯情報端末２に代わって一時的に記憶する一時ファイル記憶部である。その他の構成要素は先の図１で示される同番号のそれと同じものである。
【００３４】
次に、その動作について説明する。
起動に至る前提条件は、実施の形態１と同じである。しかし、ファイル受信側携帯電話端末１の利用者は、ファイル受信側携帯情報端末２がどんな状態にあるかは確認の必要がない。ただ、ファイル送信側携帯情報端末２２の利用者は、ファイル送信側携帯情報端末２２の電源をＯＮし、携帯情報端末ファイル送信アプリケーション３１を実行させ、ファイル送信側携帯情報端末２２は通信可能な近距離にあるものとする。
また、実施の形態１と同じく、ファイル送信側携帯電話端末２１の利用者がファイルシステム１２にあるファイルＴを選択し、ファイル受信側携帯電話端末１の利用者によるファイル転送開始の指示に応じて、ファイル受信側携帯情報端末２のファイルシステム１２へとファイル転送を行なう。
【００３５】
動作シーケンス図は図３で示される。即ち、Ｓ１０１からＳ１１２までは実施の形態１の動作と全く同じである。
Ｓ１１３で携帯電話ファイル受信アプリケーション８は、携帯電話近距離無線通信部５に、携帯電話近距離無線通信部５と携帯情報端末近距離無線通信部１０の間で通信チャネルの確立を要求する。携帯電話近距離無線通信部５は近距離無線路１５を用いて携帯情報端末近距離無線通信部１０との間で通信チャネルの確立を試みるが、ファイル受信側携帯情報端末２が近距離無線路１５の範囲内にない場合、あるいは、ファイル受信側携帯情報端末２の事情で要求を受け付けられない場合、一定時間経過しても近距離無線路１５による通信チャネルは確立されず、確立失敗を報告する。
すると携帯電話ファイル受信アプリケーション８ｃは、ファイル受信側携帯情報端末２のファイルシステム１２に代わって、一時ファイル記憶部１６でファイルを一時受信することを決定する。
【００３６】
一方、携帯電話指示入力部６から入力されたファイル転送開始の指示は、Ｓ１１４、Ｓ１１５により、携帯情報端末ファイル送信アプリケーション３１へと伝えられる。
携帯情報端末ファイル送信アプリケーション３１は、ファイルシステム１２の中のファイルＴを選択して、携帯電話ファイル送信アプリケーション２８に向けてファイル送信を開始する。携帯電話ファイル送信アプリケーション２８は、この送られてくるファイルＴの内容を、携帯電話無線通信網１３経由で、携帯電話ファイル受信アプリケーション８へと転送し、Ｓ１２１で携帯電話ファイル受信アプリケーション８は受信したファイル内容を一時ファイル記憶部１６に蓄積する。こうして、ファイル送信側携帯情報端末２２のファイルシステム１２にあるファイルＴが、全て、ファイル受信側携帯電話端末１の一時ファイル記憶部１６に受信されると、携帯電話ファイル受信アプリケーション８は携帯電話ファイル送信アプリケーション２８とのファイル転送作業を終了さる。
【００３７】
その後、ファイル受信側携帯電話端末１は、一定時間間隔で、あるいは、次のファイル受信側携帯電話端末１とファイル受信側携帯情報端末２の近距離無線路１５による通信機会をとらえて、携帯電話近距離無線通信部５と携帯情報端末近距離無線通信部１０の近距離無線路１５による通信チャネルの確立を実施し、引き続いて、携帯電話ファイル受信アプリケーション８と携帯情報端末ファイル受信アプリケーション１１のファイル受信アプリケーション同士の交信を行う。携帯電話ファイル受信アプリケーション８は、一時ファイル記憶部１６に受信したファイルＴが存在することから、Ｓ１２３で直ちにファイル受信側携帯情報端末２のファイルシステム１２へのファイルの受信を要求し、ファイル受信側携帯情報端末２の携帯情報端末中央処理装置９および携帯情報端末ファイル受信アプリケーション１１は、一時ファイル記憶部１６からのファイルＴの受信を受け入れる。この時、ファイル受信側携帯情報端末２は、そのファイルＴがファイル受信側携帯電話端末１の一時ファイル記憶部１６から転送されてきたものか、あるいは、携帯電話無線通信網１３およびファイル送信側携帯電話端末２１を通してファイル送信側携帯情報端末２２から送られてきているものかを認識する必要はなく、実施の形態１の場合と同様にファイルＴをファイルシステム１２への受信する。ファイルＴが全てファイルシステム１２に転送されると、携帯電話ファイル受信アプリケーション８と携帯情報端末ファイル受信アプリケーション１１の交信を通じて近距離無線路１５による通信チャネルの開放が行われる。
このように、ファイル受信側携帯電話端末１ｃとファイル受信側携帯情報端末２の間の近距離無線路１５が確立されなくても、一時ファイル記憶部１６が代行してファイルＴの内容を蓄積することで、ファイル送信側携帯電話端末２１の利用者が意図した時に、ファイルシステム１２に置かれたファイルＴのファイル送信ができる。
【００３８】
実施の形態４．
受信するファイルの数が多い場合や、ファイルのサイズが大きい場合には、受信中のファイル属性を逐一表示することが必要である。まず、受信側の携帯電話において、受信中に途中経過が判るよう、また動作中であることが判るよう表示する。更には送信側で同様な表示を行って正常送信中を確認する。更には転送ファイル群名を表示する形態を説明する。
本実施の形態における送信側の構成は図１で示され、送信側の構成は図２で示される。これらの構成において、携帯電話ファイル受信アプリケーション８ｄは、送信側からのファイル転送中にそのファイル名、受信区分を表示する機能を持つ。
次にその動作について説明する。
図１０は、本実施の形態における携帯端末間ファイル転送システムの動作シーケンス図であるが、先の実施の形態１における図５のシーケンスにＳ１３１のステップが付加されたものである。
携帯電話ファイル受信アプリケーションは、受信側携帯情報端末２がＳ１１７でファイル転送を受信するのを中継中に、受信内容からファイル名と場合によっては先頭部分、第２区分、更には順次区分を受信して最終区分を中継中であることを、ヘッダ部などを抽出して検知し、携帯電話表示部７に表示する。その他の動作は図５と同じである。こうすることで受信側では、たとえ大きなファイル転送であっても正常受信を確認し、進捗状況をビジブルに確認することができる。
【００３９】
受信側の携帯電話ではなくて、受信側の携帯電話に同様な表示をさせてもよい。即ち図２の構成において、携帯電話ファイル送信アプリケーション２８ｄとして機能拡張して、受信側へのファイル転送中継中にそのファイル名、受信区分を携帯電話表示部７に表示させるようにしてもよい。
図１１は、その動作シーケンスを示す図であり、図５のシーケンスに送信側での表示としてＳ１３２が付加されたものである。
動作としては、送信側の携帯電話ファイル送信アプリケーション２８ｄが、送信中継中に携帯電話表示部７に送信中、及び場合により途中経過を表示する。こうして送信側でも正常送信中をビジブルに確認できる。勿論、受信側の携帯電話ファイル受信アプリケーション８ｄと併用し、Ｓ１３１とＳ１３２を同時に行うようにしてもよい。
【００４０】
受信側で受信ファイルを選択した場合などにおいて、送信したすべてのファイルのファイル属性を一括表示することが必要である。
図１２は本実施の形態における他の送信側のシステム構成図である。図において、４１はファイル送信側携帯電話端末２１上にあって送信したファイル名を一時的に記憶する送信ファイル名記憶部である。また携帯電話ファイル送信アプリケーション２８ｅは、機能を拡張してその受信側へのファイル転送後に、ファイル名記憶部４１に記憶したファイルの一覧を表示する。
次に、その動作について説明する。
図１３は、図１２に示す送信側システムと受信側との間の動作シーケンスを示す図であるが、先の実施の形態１における図５のシーケンスにＳ１３３とＳ１３４のステップが付加されたものである。
携帯電話ファイルアプリケーション２８ｅは、受信側への対象ファイルの送信に先立ち、または送信中にＳ１３３でファイル名記憶部４１に送信ファイル名の一覧を記憶させる。
ファイルの送信が正常終了すると、この記憶していたファイル名の一覧をＳ１３４で携帯電話表示部７に表示させる。こうすることで送信側でも正常に終了した送信ファイル群を確認することができる。
【００４１】
実施の形態５．
先の実施の形態では、携帯電話の指示入力部６と表示部７を使用しての入力と確認を説明した。
しかし表示確認と、指による指示入力に換えて、受信側携帯電話を持つ位置を通話中と同じ位置に保ち、音声入出力によってファイル受信の操作を行えば、表示画面を見ての操作が必要なくなり、操作が楽になる。本実施の形態ではこうしたシステムを説明する。
図１４は、本実施の形態における受信側のシステム構成である。図において、５１は音声を入力し音声信号に変換する携帯電話音声入力部、５２は音声入力部５１からの音声信号を分析し対応する操作指示に変換する携帯電話音声認識部、５３は携帯電話中央処理装置３からの出力を音声信号に変換する携帯電話音声合成部、５４は携帯電話音声合成部５３からの音声信号を音声として出力する携帯電話音声出力部である。
【００４２】
次に、その動作について説明する。
図１５は本実施の形態における携帯端末間ファイル転送システムの動作シーケンス図であるが先の実施の形態２における図８のシーケンスで、Ｓ１０９の属性を音声で出力するＳ１０９ｃに、Ｓ１１１とＳ１１２の指示入力をＳ１１１ｃとＳ１１２ｃの音声入力に代えたものである。即ち、Ｓ１０９ｃにおいて、携帯電話ファイル受信アプリケーション８からの出力は携帯電話音声合成部５３に伝えられ、携帯電話音声合成部５３は対応する音声信号に変換し携帯電話音声出力部５４にこの音声信号を伝えて受信ファイル属性の音声による出力が行われる。また、Ｓ１１１ｃで受信ディレクトリの指定が音声によって行われ、携帯電話音声入力部５１に入力されると、携帯電話音声入力部５１はこれを音声信号に変換して携帯電話音声認識部５２に伝える。携帯電話音声認識部５２はこの音声信号を分析し、対応する受信ディレクトリ指示に変換し携帯電話ファイル受信アプリケーション８に伝える。さらに、図１５のＳ１１２ｃにおいてもファイル転送開始の指示が音声によって行われ、同じ手順によりその指示が携帯電話ファイル受信アプリケーション８に伝えられる。その他の動作は先の図８のシーケンスと同様であり、詳細説明を省略する。
【００４３】
送信側の携帯電話端末についても同じことがいえる。図１６は本実施の形態における送信側のシステム構成図である。送信側の携帯電話端末２１中の新規要素は、図１４中のそれと同等のものである。
【００４４】
次に、その動作について説明する。
図１７はその動作シーケンス図であるが、図８のシーケンスにおいてＳ１０４の属性を音声で出力するＳ１０４ｃに、またＳ１０５の選択の指示入力をＳ１０５ｃの音声入力に代えたものである。即ちＳ１０４ｃにおいて、携帯電話ファイル送信アプリケーション２８からの出力は携帯電話音声合成部５３に伝えられ、携帯電話音声合成部５３は対応する音声信号に変換し携帯電話音声出力部５４にこの音声信号を伝えて、送信ファイル属性の音声による出力が行われる。また、Ｓ１０５ｃで送信ファイル選択の指定が音声によって行われ、携帯電話音声入力部５１に入力されると、携帯電話音声入力部５１はこれを音声信号に変換して携帯電話音声認識部５２に伝える。携帯電話音声認識部５２はこの音声信号を分析し、対応する送信ファイル選択指示に変換し携帯電話ファイル送信アプリケーション２８に伝える。これらの部分以外の動作は図８と同様に行われる。
【００４５】
【発明の効果】
以上のようにこの発明によれば、送信側携帯電話端末に特徴のある携帯電話ファイル送信アプリケーション手段を備えたので、送信側からの意志でファイル転送ができ、かつ操作を容易にできる効果がある。
【図面の簡単な説明】
【図１】  本発明の実施の形態１における受信側のシステム構成図である。
【図２】  本発明の実施の形態１における送信側のシステム構成図である。
【図３】  本発明の実施の形態１と３における動作シーケンス図である。
【図４】  本発明におけるファイル属性の例を示した図である。
【図５】  実施の形態１における他の動作シーケンスを示す図である。
【図６】  本発明の実施の形態２における受信側のシステム構成図である。
【図７】  本発明の実施の形態２における送信側のシステム構成図である。
【図８】  本発明の実施の形態２における動作シーケンス図である。
【図９】  本発明の実施の形態３における受信側のシステム構成図である。
【図１０】  本発明の実施の形態４における動作シーケンス図である。
【図１１】  本発明の実施の形態４における他の動作シーケンス図である。
【図１２】  本発明の実施の形態４における他の送信側のシステム構成図である。
【図１３】  本発明の実施の形態４における他の動作シーケンス図である。
【図１４】  本発明の実施の形態５における受信側のシステム構成図である。
【図１５】  本発明の実施の形態５における動作シーケンス図である。
【図１６】  本発明の実施の形態５における他の送信側のシステム構成図である。
【図１７】  本発明の実施の形態５における他の動作シーケンス図である。
【図１８】  従来のファイル転送システムの構成図である。
【図１９】  従来のファイル転送システムの動作シーケンス図である。
【符号の説明】
１，１ｂ，１ｃ  ファイル受信側携帯電話端末、２  ファイル受信側携帯情報端末、３  携帯電話中央処理装置、４，４ｂ  携帯電話無線通信部、５  携帯電話近距離無線通信部、６  携帯電話指示入力部、７  携帯電話表示部、８，８ｂ，８ｃ，８ｄ  携帯電話ファイル受信アプリケーション、９  携帯情報端末中央処理装置、１０  携帯情報端末近距離無線通信部、１１  携帯情報端末ファイル受信アプリケーション、１２  ファイルシステム、１３  携帯電話無線通信網、１４  携帯電話無線路、１５  近距離無線路、１６  一時ファイル記憶部、１７通話用マイク、１８  通話用スピーカ、２１，２１ｂ  ファイル送信側携帯電話端末、２２  ファイル送信側携帯情報端末、２８，２８ｂ，２８ｄ，２８ｅ  携帯電話ファイル送信アプリケーション、３１  携帯情報端末ファイル送信アプリケーション、４１  ファイル名記憶部、５１  携帯電話音声入力部、５２  携帯電話音声認識部、５３  携帯電話音声合成部、５３  携帯電話音声出力部、８０１  携帯電話、８０２  携帯情報端末、８０４  インターネット、８０５  ファイルサーバ、８１４  携帯電話シリアルポート通信部、８２２  携帯情報端末表示部、８２３  携帯情報端末指示入力部、８２４  携帯情報端末シリアルポート通信部、８２５  受信ディレクトリ、８２６  ファイル転送アプリケーション、８２９  シリアル通信ケーブル、８３０  ファイルサーバ中央処理装置、８３４  インターネット通信部、８３５  転送ファイルディレクトリ、８３６  ファイル転送サーバアプリケーション。
【図１】
0003824467.tif 000002
【図２】
0003824467.tif 000003
【図３】
0003824467.tif 000004
【図４】
0003824467.tif 000005
【図５】
0003824467.tif 000006
【図６】
0003824467.tif 000007
【図７】
0003824467.tif 000008
【図８】
0003824467.tif 000009
【図９】
0003824467.tif 000010
【図１０】
0003824467.tif 000011
【図１１】
0003824467.tif 000012
【図１２】
0003824467.tif 000013
【図１３】
0003824467.tif 000014
【図１４】
0003824467.tif 000015
【図１５】
0003824467.tif 000016
【図１６】
0003824467.tif 000017
【図１７】
0003824467.tif 000018
【図１８】
0003824467.tif 000019
【図１９】
0003824467.tif 000020